(57)【要約】  各ＭＶＮＯは、移動体回線網の無線リソース（全基地局の無線リソース）を必ずしも公平にシェアできないという課題を解決する為、本発明のシステムでは、基地局とサーバとが接続され、前記サーバは、少なくとも１つの基地局から所定のグループ（ＭＶＮＯ）に係る無線リソースの使用量が入力されると、前記グループ毎に、前記グループに係る前記使用量の総和と単調増加関係のある所定の番号に対応する情報を、前記グループの優先順位を示す情報として出力し、前記基地局は、前記グループの優先順位を示す情報が入力されると、端末と通信を行う際、前記情報が示す前記優先順位の高い前記グループの端末から順に前記無線リソースを使用して通信を行う。
2015198572.tif 000002
【特許請求の範囲】
【請求項１】
所定のグループの端末から接続要求メッセージを受信すると、通信を行うための無線リソースを使用して前記端末と通信を行う無線リソース使用手段と、
所定のタイミングになると、前記グループの前記端末と通信を行う為に使用している前記無線リソースの使用量を前記グループ毎に出力する報告手段と、を備え、
前記無線リソース使用手段は、前記出力に応じて前記グループの優先順位を示す情報が入力されると、前記端末と通信を行う際、前記情報が示す前記優先順位の高い前記グループの端末から順に前記無線リソースを使用して通信を行う、
ことを特徴とする基地局。
【請求項２】
前記無線リソース使用手段は、使用する前記無線リソースと、前記端末が係る前記グループを示す識別子と、を関連づけ、
前記報告手段は、前記所定のタイミングになると、前記識別子毎に、前記識別子と関連づけられた前記無線リソースの数に対応する前記使用量を、前記識別子と関連づけて出力する、
ことを特徴とする請求項１に記載の基地局。
【請求項３】
前記無線リソース使用手段は、前記端末から受信した所定のメッセージから前記識別子を抽出する、
ことを特徴とする請求項２に記載の基地局。
【請求項４】
前記所定のグループは、所定の仮想移動体通信事業者である、
ことを特徴とする請求項１乃至３のいずれか１項に記載の基地局。
【請求項５】
接続する少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力する決定手段を備える、
ことを特徴とするサーバ。
【請求項６】
前記基地局各々から入力された前記グループを示す識別子毎に、前記識別子に関連して入力された前記使用量の総和に対応する第１の値を、前記識別子と関連づけて出力する管理手段と、を備え
前記決定手段は、前記管理手段から入力された前記識別子毎に、関連する前記第１の値と単調増加関係のある前記所定の番号に対応する前記情報を出力する、
ことを特徴とする請求項５にサーバ。
【請求項７】
前記第１の値は、前記使用量の総和を、接続する前記基地局に備わる全ての前記無線リソースの数で除算した値である、
ことを特徴とする請求項６に記載のサーバ。
【請求項８】
基地局とサーバとが接続され、
前記基地局は、請求項１乃至４のいずれか１項に記載の基地局であり、
前記サーバは、請求項５乃至７のいずれか１項に記載のサーバである、
ことを特徴とするシステム。
【請求項９】
少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力し、
前記基地局が、前記グループの端末と通信を行う際、入力された前記情報が示す前記優先順位の高い前記グループの端末から順に前記無線リソースを使用して通信を行う、
ことを特徴とする無線リソース使用方法。
【請求項１０】
所定のタイミングになると、前記グループの前記端末と通信を行う為に使用している前記無線リソースの使用量を前記グループ毎に出力する、
ことを特徴とする請求項９に記載の無線リソース使用方法。
【請求項１１】
前記無線リソースは、周波数帯域、リソースブロック、符号のいずれか、又は組み合わせである、
ことを特徴とする請求項１乃至４のいずれか１項に記載の基地局。
【請求項１２】
前記所定のメッセージは、３ＧＰＰ（３ｒｄ  Ｇｅｎｅｒａｔｉｏｎ  Ｐａｒｔｎｅｒｓｈｉｐ  Ｐｒｏｊｅｃｔ）に規定されるＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔ、又は、ＲＲＣ  Ｃｏｎｎｅｃｔｉｏｎ  Ｓｅｔｕｐ  Ｃｏｍｐｌｅｔｅである、
ことを特徴とする請求項３乃至４のいずれか１項、又は請求項１１に記載の基地局。
【発明の詳細な説明】
【技術分野】
【０００１】
本発明は、基地局、サーバ、システム、無線リソース割当方法に関し、特に、複数の事業者が無線リソースを共有する基地局、サーバ、システム、無線リソース割当方法に関する。
【背景技術】
【０００２】
一般的に、仮想移動体通信事業者（以下、「ＭＶＮＯ」という）が知られている。ＭＶＮＯ（Ｍｏｂｉｌｅ  Ｖｉｒｔｕａｌ  Ｎｅｔｗｏｒｋ  Ｏｐｅｒａｔｏｒ）は、移動体通信事業者（以下、「ＭＮＯ（Ｍｏｂｉｌｅ  Ｎｅｔｗｏｒｋ  Ｏｐｅｒａｔｏｒ）」という）から移動体回線網を借りて、移動体通信サービスを行う事業者のことである。【０００３】
ＭＶＮＯに関する技術については、以下の特許文献１に開示がされている。【０００４】
特許文献１の情報処理装置は、計算部を備える。計算部は、ＭＮＯが所有する移動体回線網を用いて無線通信サービスを提供する通信事業者（すなわち、ＭＶＮＯ）に課金される使用料を計算する。このとき、計算部は、無線リソースの使用効率に依存するパラメータに基づいて、使用料を計算する。【０００５】
特許文献１の情報処理装置は、無線リソースの使用効率に応じてＭＶＮＯの使用料を計算するので、ＭＶＮＯに対し、効率的に無線リソースを使用しようとする動機づけを与える。その結果、ＭＶＮＯによる効率的な無線リソースの使用が促進され、特許文献１の情報処理装置は、有限な無線リソースが枯渇、又は逼迫することを防止することができる。【０００６】
ところで、一般的に、ＭＶＮＯは、ＭＮＯと移動体回線網の使用を契約したとき、移動体回線網を他のＭＶＮＯと共有して使用する（以下、「シェアする」という）。そのとき、各ＭＶＮＯは、移動体回線網に備わる基地局が無線通信を行うために使用する無線リソースについても互いにシェアする。無線リソースは、例えば、周波数帯域である。図１は、一般的な基地局が使用する無線リソース（周波数帯域）の一例を示した図である。図１に示されるように、各ＭＶＮＯは、基地局が無線通信を行うために使用する無線リソース（周波数帯域）＃１〜＃１６をシェアする。基地局が使用する無線リソースのことを、本明細書では、以下、「基地局の無線リソース」というものとする。【０００７】
各ＭＶＮＯが基地局の無線リソースをシェアする方法の１つとして、図１に示されるように、無線リソースを、各ＭＶＮＯ専用の無線リソースと、各ＭＶＮＯで共用の無線リソースとに分け、各ＭＶＮＯが共用の無線リソースをシェアする方法が知られている。上述の方法では、各ＭＶＮＯは、まず、自分専用の無線リソース（以下、「専用リソース」という）を使用し、専用リソースを全て使用したときに、共用の無線リソースを使用する。各ＭＶＮＯは、使用可能な無線リソースが担保された上で、無線リソースを互いに使用することができる。【０００８】
上述の方法を実現する為に、移動体回線網に備わる各基地局は、ＭＶＮＯの端末から、接続を要求するメッセージを受信すると、当該ＭＶＮＯの専用リソースを使用して、該ＭＶＮＯの端末と通信を行う。そして、各基地局は、専用リソースを全て使用してしまった場合には、共用の無線リソースを使用して上述のＭＶＮＯの端末と通信を行う。各基地局に備わる共用の無線リソースは、各ＭＶＮＯ（の端末）によって使用されていく。【０００９】
特許文献２、３には、リソースを用いて、サービスを提供する、若しくはサービス品質を管理する装置が記載されている。
【先行技術文献】
【特許文献】
【００１０】
【特許文献１】国際公開第２０１３／１３２９０１号
【特許文献２】特開２０１１−０４４７９９号公報
【特許文献３】特表２００５−５３９４６２号公報
【発明の概要】
【発明が解決しようとする課題】
【００１１】
しかし、特許文献１、２、３の装置を含む一般的な移動体通信システム（以下、「特許文献１の移動体通信システム」という）では、各ＭＶＮＯは、移動体回線網に備わる各基地局の無線リソースを必ずしも公平にシェアできないという課題があった。【００１２】
なぜならば、特許文献１、２、３の移動体通信システムの各基地局は、共用の無線リソースを使用するとき、どのＭＶＮＯの端末が各基地局の無線リソースを多く使用しているのか判別することなく、使用してしまうからである。その結果、各基地局の共有の無線リソースは、一部のＭＶＮＯの端末によって多くが使用されてしまうことがあり、各ＭＶＮＯは、各基地局の無線リソースを必ずしも公平にシェアできなかった。【００１３】
上述の課題が生じることで、一部のＭＶＮＯの端末からは電話が繋がりやすく、他のＭＶＮＯの端末からは繋がりにくいといった印象を各ＭＶＮＯの端末のユーザが持たないとは限らず、各ＭＶＮＯにとっては、公平な競争ができない可能性があった。【００１４】
本発明は、上記課題を解決する基地局、サーバ、システム、無線リソース割当方法を提供することを目的とする。
【課題を解決するための手段】
【００１５】
上記目的を達成するために、本発明の基地局は、所定のグループの端末から接続要求メッセージを受信すると、通信を行うための無線リソースを使用して前記端末と通信を行う無線リソース使用手段と、所定のタイミングになると、前記所定のグループの前記端末と通信を行う為に使用している前記無線リソースの使用量を前記グループ毎に出力する報告手段と、を備え、前記無線リソース使用手段は、前記出力に応じて前記グループの優先順位を示す情報が入力されると、前記端末と通信を行う際、前記情報が示す前記優先順位の高い前記グループの端末から順に前記無線リソースを使用して通信を行う。【００１６】
上記目的を達成するために、本発明のサーバは、接続する少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力する決定手段を備える。【００１７】
上記目的を達成するために、本発明のシステムは、基地局とサーバとが接続され、前記基地局は、所定のグループの端末から接続要求メッセージを受信すると、通信を行うための無線リソースを使用して前記端末と通信を行う無線リソース使用手段と、所定のタイミングになると、前記所定のグループの前記端末と通信を行う為に使用している前記無線リソースの使用量を前記グループ毎に出力する報告手段と、を備え、前記無線リソース使用手段は、前記出力に応じて前記グループの優先順位を示す情報が入力されると、前記端末と通信を行う際、前記情報が示す前記優先順位の高い前記グループの端末から順に前記無線リソースを使用して通信を行う基地局であり、前記サーバは、接続する少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力する決定手段を備えるサーバである。【００１８】
上記目的を達成するために、本発明の無線リソース使用方法は、少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力し、前記基地局が、前記グループの端末と通信を行う際、入力された前記情報が示す前記優先順位の高い前記グループの端末から順に前記無線リソースを使用して通信を行う。
【発明の効果】
【００１９】
本発明によれば、各ＭＶＮＯは、移動体回線網の各基地局の無線リソースを、より公平にシェアすることができる。
【図面の簡単な説明】
【００２０】
【図１】一般的な基地局が使用する無線リソース（周波数帯域）の一例を示した図である。
【図２】本発明の第１の実施の形態におけるシステムの構成例を示す図である。
【図３】本発明の第１の実施の形態におけるシステムの基地局が使用する無線リソースの一例を示した図である。
【図４】本発明の第１の実施の形態におけるシステムの基地局の構成例を示した図である。
【図５】本発明の第１の実施の形態におけるシステムのサーバの構成例を示す図である。
【図６】本発明の第１の実施の形態におけるシステムの動作（動作全体）を説明する為の図である。
【図７】本発明の第１の実施の形態におけるシステムの動作（アタッチ時に実施する動作）を説明する為の図である。
【図８】本発明の第１の実施の形態におけるシステムの基地局に備わる無線リソースを説明する為の図である。
【図９】本発明の第１の実施の形態におけるシステムの動作（サーバの動作）を説明する為の図である。
【図１０】本発明の第１の実施の形態におけるシステムに備わるサーバが記憶した情報（各ＭＶＮＯ（Ｍｏｂｉｌｅ  Ｖｉｒｔｕａｌ  Ｎｅｔｏｗｒｋ  Ｏｐｅｒａｔｏｒ）の全無線リソースにおける使用率）の一例を示した図である。
【図１１】本発明の第１の実施の形態におけるシステムに備わるサーバ内部で送受信される情報（各ＭＶＮＯの使用優先順位）の一例を示した図である。
【図１２】本発明の第１の実施の形態におけるシステムの動作（使用優先順位が通知された後の基地局の動作）を説明する為の図（その１）である。
【図１３】本発明の第１の実施の形態におけるシステムの動作（使用優先順位が通知された後の基地局の動作）を説明する為の図（その２）である。
【図１４】本発明の第１の実施の形態におけるシステムに備わるサーバが記憶した情報（ＭＶＮＯ情報と無線リソースの使用率）の一例を示した図である。
【図１５】本発明の第２の実施の形態におけるシステムの構成例を示す図である。
【図１６】発明の第２の実施の形態におけるシステムの基地局が使用する無線リソースを説明する為の図である。
【発明を実施するための形態】
【００２１】
次に本発明の実施形態について、図面を参照して詳細に説明する。
【００２２】
≪第１の実施の形態≫
[概要]
本発明の第１の実施の形態におけるシステムでは、サーバが、接続する各基地局の無線リソース全て（以下、「全無線リソース」という）を、各ＭＶＮＯがどの程度使用しているのか使用状況を把握する。そして、サーバは、全無線リソースを各ＭＶＮＯが平均的に使用するよう、各ＭＶＮＯの使用優先順位を決定する。具体的には、サーバは、全無線リソースの使用量の小さいＭＶＮＯについては使用優先順位の高いＭＶＮＯと決定し、使用量の大きいＭＶＮＯについては使用優先順位の低いＭＶＮＯと決定する。各基地局は、使用優先順位の高いＭＶＮＯに、各ＭＶＮＯで共有する無線リソース（以下、「共有リソース」という）を優先して使用させる。
【００２３】
本実施形態のシステムでは、各基地局が、各基地局の無線リソースの使用量が小さいＭＶＮＯに共有リソースを優先して使用させるので、各ＭＶＮＯは、各基地局の無線リソースを、より公平にシェアすることができる。
【００２４】
以下に、本発明の第１の実施の形態におけるシステムの構成や機能、動作の詳細について説明する。
【００２５】
［構成の説明］
まず、本発明の第１の実施の形態におけるシステムの構成と機能について説明する。図２は、本発明の第１の実施の形態におけるシステムの構成例を示す図である。
【００２６】
（１）本発明の第１の実施の形態におけるシステムの構成
本実施形態のシステムは、移動体通信システムであり、図２に示されるように、端末１＿ｋ（ｋ＝１〜２４）と、基地局２＿１、２＿２と、ＩＰネットワーク３と、サーバ４と、ＭＭＥ５と、を備える。ＩＰは、Ｉｎｔｅｒｎｅｔ  Ｐｒｏｔｏｃｏｌの略称であり、ＭＭＥは、Ｍｏｂｉｌｉｔｙ  Ｍａｎａｇｅｍｅｎｔ  Ｅｎｔｉｔｙの略称である。
【００２７】
端末１＿１〜端末１＿１２は、基地局２＿１と無線回線を介して接続され、端末１＿１３〜端末１＿２４は、基地局２＿２と無線回線を介して接続される。基地局２＿１、２＿２は、ＩＰネットワーク３を介し、有線回線にてサーバ４及びＭＭＥ５と接続される。
【００２８】
なお、本実施形態のシステムに備わる基地局と端末は、２台や２４台に限らない。本実施形態のシステムには、２台や２４台以外の台数の端末や基地局が備わっていてもよい。
【００２９】
（２）端末１＿ｋ（ｋ＝１〜２４）の機能
端末１＿ｋ（ｋ＝１〜２４）は、ＭＶＮＯを利用する一般的な端末であり、３ＧＰＰ（３ｒｄ  Ｇｅｎｅｒａｔｉｏｎ  Ｐａｒｔｎｅｒｓｈｉｐ  Ｐｒｏｊｅｃｔ）に準拠して動作する。
【００３０】
端末１＿ｋ（ｋ＝１〜２４）には、そのユーザによってＳＩＭ（Ｓｕｂｓｃｒｉｂｅｒ  Ｉｄｅｎｔｉｔｙ  Ｍｏｄｕｌｅ）カードが実装される。ＳＩＭカードには、ＭＶＮＯを示す情報（以下、「ＭＶＮＯ情報」という）が書き込まれている。ＳＩＭカードは、端末１＿ｋのユーザがＭＶＮＯと契約すると、契約したＭＶＮＯから提供されるカードであり、上述のＭＶＮＯ情報は、契約したＭＶＮＯによって書き込まれる。
【００３１】
端末１＿ｋ（ｋ＝１〜２４）は、接続を要求する周知のメッセージを送信する際、当該メッセージに上述のＭＶＮＯ情報を含めて送信する。端末１＿ｋ（ｋ＝１〜２４）が、どのＭＶＮＯを利用する端末（以下、「ＭＶＮＯの端末」という）かを基地局２＿１、２＿２に知らせる為である。なお、上述の呼接続を要求するメッセージは、３ＧＰＰに規定されるＲＲＣ  Ｃｏｎｎｅｃｔｉｏｎ  Ｒｅｑｕｅｓｔであってもよい。ＲＲＣは、Ｒａｄｉｏ  Ｒｅｓｏｕｒｃｅ  Ｃｏｎｔｒｏｌの略称である。
【００３２】
（３）基地局２＿１、２＿２の機能
基地局２＿１、２＿２の機能を説明する。基地局２＿１、２＿２は、いずれも同じ機能を備えるので、代表して基地局２＿１の機能について説明を行う。図３は、本発明の第１の実施形態におけるシステムの基地局２＿１が使用する無線リソースの一例を示した図である。
【００３３】
（３−１）無線リソースについて
基地局２＿１は、一般的な基地局と同様、いくつかの無線リソースを使用することができる。
【００３４】
具体的には、基地局２＿１は、一般的な基地局と同様、図３に示されるように、ＭＶＮＯＡ、Ｂ、Ｃ、Ｄ専用の無線リソース（以下、「専用リソース」という）と、各ＭＶＮＯが共用する無線リソース（以下、「共用リソース」という）と、を使用することができる。無線リソースは、周波数帯域であってもよい。また、無線リソースは、基地局２＿１がＯＦＤＭ方式に対応するときには、リソースブロックであってもよい。さらに、無線リソースは、基地局２＿１がＣＤＭＡ方式に対応するときには無線リソースは符号であってもよい。また、無線リソースは、周波数帯域、リソースブロック、符号の組み合わせであってもよい。上述のＯＦＤＭは、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇの略称で、ＣＤＭＡとは、Ｃｏｄｅ  Ｄｉｖｉｓｉｏｎ  Ｍｕｌｔｉｐｌｅ  Ａｃｃｅｓｓの略称である。
【００３５】
（３−２）無線リソース使用機能
基地局２＿１は、３ＧＰＰに準拠して動作する一般的な基地局機能を有する。すなわち、基地局２＿１は、各ＭＶＮＯの端末１＿ｋから、接続を要求するメッセージを３ＧＰＰに準拠して受信する。
【００３６】
基地局２＿１は、接続を要求するメッセージを受信すると、まずは専用リソースを使用し、専用リソースを全て使用したときには共用リソースを使用して、端末１＿ｋと通信を行う。なお、基地局２＿１は、専用リソースを使用する際、接続を要求するメッセージからＭＶＮＯ情報を抽出し、抽出したＭＶＮＯ情報が示すＭＶＮＯの専用リソースを使用する。
【００３７】
上述の機能によって、専用リソースや共用リソース（すなわち、基地局２＿１の無線リソース）は、各ＭＶＮＯによって使用されることになる。
【００３８】
（３−３）無線リソース使用状況報告機能
基地局２＿１は、一定時間毎に、各ＭＶＮＯが使用する無線リソースの使用量をサーバ４に通知する。
【００３９】
具体的には、基地局２＿１は、所定のタイミングになると、（各ＭＶＮＯの端末と通信を行う為に）使用している無線リソースの数をＭＶＮＯ毎に算出し、各ＭＶＮＯの無線リソースの使用量としてサーバ４に通知する。具体的な算出例については、後述の「（２）無線リソースの使用状況をサーバ４に通知する動作」に記載する。上述の所定のタイミングは、一定間隔のタイミングであり、本実施形態のシステムの管理者によって予め基地局２＿１に設定される。
【００４０】
（３−４）使用優先順位の高いＭＶＮＯ（全無線リソースの使用量が小さいＭＶＮＯ）から無線リソースを使用させる機能
基地局２＿１には、各ＭＶＮＯの共用リソースを使用する優先順位（以下、「使用優先順位」という）がサーバ４から通知される。基地局２＿１は、使用優先順位の高いＭＶＮＯに共有リソースを優先して使用させる。
【００４１】
具体的には、基地局２＿１は、使用優先順位の高いＭＶＮＯの端末１＿ｋからの接続要求メッセージを優先して受信する。基地局２＿１は、接続要求メッセージを受信すると、上述の「（３−２）無線リソース使用機能」の通りに、専用リソース、又は共用リソースを使用して、使用優先順位の高いＭＶＮＯの端末１＿ｋと通信を行う。
【００４２】
（４）サーバ４の機能
（４−１）各ＭＶＮＯの無線リソース使用率の算出
サーバ４には、各ＭＶＮＯの無線リソースの使用量が、各基地局２＿１、２＿２各々から通知される。サーバ４は、各ＭＶＮＯの無線リソースの使用量が通知されると、各ＭＶＮＯが、全無線リソースの何パーセントを使用しているか、各ＭＶＮＯの無線リソース使用率を算出する。全無線リソースとは、サーバ４に接続される基地局２＿１、２＿２の無線リソース全てのことである。
【００４３】
上述の算出は、サーバ４が、各基地局２＿１、２＿２各々から通知された各ＭＶＮＯの無線リソースの使用量をＭＶＮＯ毎に合計し、合計した各値を全無線リソース数で除算することで実現される。算出した各除算値は、以下、「各ＭＶＮＯの無線リソース使用率」という。
【００４４】
上述の全無線リソース数とは、サーバ４に接続される各基地局２＿１、２＿２の無線リソースの数の合計値のことであり、本実施形態のシステムの管理者によって予めサーバ４に設定される。
【００４５】
（４−２）共用リソースの使用優先順位の算出
サーバ４は、算出した各ＭＶＮＯの無線リソース使用率を基に、各ＭＶＮＯの共有リソース使用優先順位を決定する。サーバ４は、無線リソース使用率がより低いＭＶＮＯについては使用優先順位をより高く、無線リソース使用率が高いＭＶＮＯについては使用優先順位をより低く決定する。各ＭＶＮＯが平均的に全無線リソースを使用できるようにする為である。
【００４６】
サーバ４は、決定した各ＭＶＮＯの使用優先順位を各基地局２＿１、２＿２に通知する。
【００４７】
（５）基地局２＿１、２＿２の構成
図４は、本発明の第１の実施の形態におけるシステムに備わる基地局２＿１の構成例を示す図である。
【００４８】
基地局２＿１は、上述の「（３）基地局２＿１、２＿２の機能」を実現する為に、図４に示される通り、無線リソース使用部１０と、メッセージ受信部１１と、無線リソース使用量報告部１２と、有線側インターフェース部１３とを備える。基地局２＿２も基地局２＿１と同じ構成を備える。
【００４９】
（６）サーバ４の構成
図５は、本発明の第１の実施の形態におけるシステムに備わるサーバ４の構成例を示す図である。
【００５０】
サーバ４は、上述の「（４）サーバ４の機能」を実現する為に、図５に示される通り、基地局間インターフェース部４０と、使用状況管理部４１と、優先度決定部４２と、ポリシー通知部４３とを備える。
【００５１】
［動作の説明］
図６は、本発明の第１の実施の形態におけるシステムの動作を説明する為の図である。図６を用いて、本実施形態のシステムの詳細な動作を以下に説明する。
【００５２】
なお、以下では、端末１＿１に関してまず説明を行い、その後に、他の端末１＿２〜１＿２４について説明を行う。
【００５３】
（１）無線リソースと、それを使用するＭＶＮＯとの関連づけ
まず、端末１＿１は、基地局２＿１のセルに在圏すると、図６に示されるように、３ＧＰＰに規定される周知のアタッチ処理をＭＭＥ５との間で行う（Ｓ１）。
【００５４】
上述のアタッチ処理において、基地局２＿１は、端末１＿１から接続を要求するメッセージを受信すると、一般的な基地局と同様、まずは専用リソースを使用し、専用リソースを全て使用したときには共用リソースを使用して、端末１＿１と通信を行う。
【００５５】
このとき、基地局２＿１は、接続を要求するメッセージ（以下、「接続要求メッセージ」という）からＭＶＮＯ情報を取得し、取得したＭＶＮＯ情報を、端末１＿１と通信を行う為に使用した無線リソース（専用リソース、又は共用リソース）に関連づける。各無線リソースが、どのＭＶＮＯ（の端末）によって使用されているのかが分かるようにする為である。なお、上述のＭＶＮＯ情報とは、「（２）端末１＿ｋ（ｋ＝１〜２４）の機能」で説明した通り、端末１＿１がどのＭＶＮＯを利用しているのか示す情報、つまり、端末１＿１がどのＭＶＮＯの端末かを示す情報である。
【００５６】
（１−１）Ｓ１の具体的動作
上述のＳ１の動作は、端末１＿１と基地局２＿１の無線リソース使用部１０によって、以下のＳ１１０〜Ｓ１１３の通りに実現される。図７は、本発明の第１の実施の形態におけるシステムの動作（アタッチ時に実施する動作）を説明する為の図である。
【００５７】
（１−２）Ｓ１１０〜Ｓ１１３について
まず、端末１＿１は、図７に示されるように、周知のアタッチ処理において、自身が在圏するセルの基地局２＿１に対し、接続要求メッセージ（具体的には、ＲＲＣ  Ｃｏｎｎｅｃｔｉｏｎ  Ｒｅｑｕｅｓｔ）を送信する（Ｓ１１０）。
【００５８】
このとき、端末１＿１は、上述の接続要求メッセージに、自身に備わるＳＩＭカードに記載されているＭＶＮＯ情報を含めて送信する。端末１＿１がどのＭＶＮＯの端末かを基地局２＿１に知らせる為である。
【００５９】
次に、基地局２＿１のメッセージ受信部１１は、端末１＿１から接続要求メッセージを３ＧＰＰに準拠して受信すると、受信した接続要求メッセージを無線リソース使用部１０に出力する（Ｓ１１１）。
【００６０】
次に、基地局２＿１の無線リソース使用部１０は、接続要求メッセージが入力されると、その接続要求メッセージからＭＶＮＯ情報を抽出する（Ｓ１１２）。
【００６１】
次に、無線リソース使用部１０は、ＭＶＮＯ情報を抽出すると、そのＭＶＮＯ情報が示すＭＶＮＯの専用リソースを使用して、端末１＿１と通信を行う（Ｓ１１３）。
【００６２】
但し、無線リソース使用部１０は、専用リソースを全て使用していたとき（以下、「枯渇していた場合」という）には、共用リソースを使用して、端末１＿１と通信を行う。
【００６３】
次に、無線リソース使用部１０は、端末１＿１と通信を行う為に使用する無線リソースに対し、上述のＳ１１２で抽出したＭＶＮＯ情報を関連づける（Ｓ１１４）。
【００６４】
例えば、無線リソース使用部１０は、各無線リソース（周波数帯域）に対応する所定の番号と、上述のＳ１１２で抽出したＭＶＮＯ情報とを関連づけることで、上述の関連づけを実現してもよい。所定の番号は、本実施形態のシステムの管理者によって無線リソース使用部１０に予め設定される。
【００６５】
（１−３）他の端末１＿２〜１＿１２について
上記では、端末１＿１に関して説明を行ったが、他の端末１＿２〜端末１＿１２についても同様である。すなわち、他の端末１＿２〜端末１＿１２が在圏し、接続要求メッセージを送信すれば、基地局２＿１は、同様に、上述のＳ１１１〜Ｓ１１４を実施する。
【００６６】
図８は、基地局２＿１に備わる無線リソースを説明する為の図である。
【００６７】
（１−４）Ｓ１１０〜Ｓ１１４の動作まとめ（無線リソースの状況）
基地局２＿１が、各端末１＿１〜端末１＿１２に関して上述のＳ１１１〜Ｓ１１４を実施した結果、無線リソース各々には、図８に示されるように、端末１＿２〜端末１＿１２から受信したＭＶＮＯ情報が関連づけられる。
【００６８】
上記の関連づけによって、各無線リソースが、どのＭＶＮＯ（の端末）によって使用されているのかが分かる。
【００６９】
（１−５）上述のＳ１１２〜Ｓ１１４の代わりの動作
接続要求メッセージ以外のメッセージ（以下、「他の受信メッセージ」という）にも、ＭＶＮＯ情報が含まれることがある。無線リソース使用部１０は、上述のＳ１１４の代わりに、端末１＿１から他の受信メッセージを受信すると、そのメッセージからＭＶＮＯ情報を抽出し、端末１＿１と通信を行う為に使用した無線リソースに、抽出したＭＶＮＯ情報を関連づけてもよい。他の受信メッセージとは、例えば、ＲＲＣ  Ｃｏｎｎｅｃｔｉｏｎ  Ｓｅｔｕｐ  Ｃｏｍｐｌｅｔｅである。
【００７０】
（２）無線リソースの使用状況をサーバ４に通知する動作
（２−１）動作概要
次に、基地局２＿１は、図６に示されるように、各ＭＶＮＯが使用する無線リソースの数（以下、「各ＭＶＮＯの無線リソースの使用量」という）をサーバ４へ通知する（Ｓ２）。
【００７１】
上述のＳ２の動作は、一定周期毎に行われる。
【００７２】
（２−２）Ｓ２の具体的動作
上述のＳ２は、基地局２＿１の無線リソース使用量報告部１２（以下、「報告部１２」という）と有線側インターフェース部１３によって、以下の通りに実行される。
【００７３】
まず、基地局２＿１の報告部１２は、所定のタイミングになると、無線リソースに関連づけられているＭＶＮＯ情報について、その種類毎に数をカウントし、カウントした数とカウント対象としたＭＶＮＯ情報とを関連づけて記憶する。
【００７４】
例えば、図８の通りにＭＶＮＯ情報が無線リソースに関連づけられている場合、報告部１２は、ＭＶＮＯＡを示すＭＶＮＯ情報については５個とカウントし、カウントした数５とＭＶＮＯＡを示すＭＶＮＯ情報を関連づけて記憶する。
【００７５】
同様に、報告部１２は、ＭＶＮＯＢを示すＭＶＮＯ情報については１個とカウントし、カウントした数１とＭＶＮＯＢを示すＭＶＮＯ情報を関連づけて記憶する。さらに、報告部１２は、ＭＶＮＯＣを示すＭＶＮＯ情報については３個とカウントし、数３とＭＶＮＯＣを示すＭＶＮＯ情報を関連づけて記憶し、ＭＶＮＯＤを示すＭＶＮＯ情報についても１個とカウントし、数１とＭＶＮＯＤを示すＭＶＮＯ情報を同様に記憶する。
【００７６】
なお、上述の所定のタイミングは、一定間隔の時間であり、本実施形態のシステムの管理者によって報告部１２に設定される。
【００７７】
次に、報告部１２は、記憶した数（以下、「無線リソース使用数」という）とＭＶＮＯ情報各々を有線側インターフェース部１３に出力する。
【００７８】
次に、有線側インターフェース部１３は、報告部１２から入力された無線リソース使用数とＭＶＮＯ情報を各ＭＶＮＯの無線リソースの使用量としてサーバ４に送信する。
【００７９】
（３）基地局２＿２の動作
基地局２＿２は、基地局２＿１と同じ動作を行う。その結果、基地局２＿２は、基地局２＿１と同様、各ＭＶＮＯの無線リソースの使用量をサーバ４に通知する（Ｓ３）。
【００８０】
（４）サーバ４の動作その１（各ＭＶＮＯの無線リソース使用率の算出する動作）
（４−１）動作概要
サーバ４は、各ＭＶＮＯの無線リソースの使用量が各基地局２＿１、２＿２から通知されると、図６に示されるように、各ＭＶＮＯが（本実施形態のシステムの）全無線リソースの何パーセントを使用しているか、各ＭＶＮＯの無線リソース使用率を算出する（Ｓ４）。
【００８１】
上述の全無線リソースとは、サーバ４に接続される各基地局２＿１、２＿２の無線リソース全てのことである。
【００８２】
（４−２）Ｓ４の具体的動作
上述のＳ４の動作は、サーバ４の基地局間インターフェース部４０、使用状況管理部４１によって、以下のＳ１４０〜Ｓ１４２の通りに実現される。
【００８３】
（４−２−１）Ｓ１４０〜Ｓ１４１について
図９は、本発明の第１の実施の形態におけるシステムの動作（サーバの動作）を説明する為の図である。
【００８４】
まず、サーバ４の基地局間インターフェース部４０は、各ＭＶＮＯの無線リソースの使用量（つまり、ＭＶＮＯ情報と無線リソース使用数）を各基地局２＿１、２＿２から受信すると、それらを、図９に示されるように、使用状況管理部４１に出力する（Ｓ１４０）。
【００８５】
このとき、出力されるＭＶＮＯ情報と無線リソース使用数は関連づけられている。
【００８６】
次に、使用状況管理部４１は、ＭＶＮＯ情報と無線リソース使用数が入力されると、全無線リソースにおける各ＭＶＮＯの無線リソース使用率を算出し、記憶する（Ｓ１４１）。
【００８７】
具体的には、使用状況管理部４１は、入力されたＭＶＮＯ情報毎に、それと関連する無線リソース使用数を全て合計し、全無線リソース数で除算した値を１００倍した値を、当該ＭＶＮＯの無線リソース使用率とし、ＭＶＮＯ情報と関連づけて記憶する。
【００８８】
（４−２−２）Ｓ１４１の動作例
例えば、使用状況管理部４１には、（基地局間インターフェース部４０を介して）基地局２＿１からＭＶＮＯＡを示すＭＶＮＯ情報と無線リソース使用数５が、基地局２＿２からＭＶＮＯＡを示すＭＶＮＯ情報と無線リソース使用数１０が入力されていたとする。
【００８９】
このとき、使用状況管理部４１は、ＭＶＮＯＡを示すＭＶＮＯ情報に関して入力された無線リソース使用数を合計し、合計値１５（上述の使用量５＋使用量１０）を全無線リソース数で除算する。使用状況管理部４１は、除算した値を１００倍した値を、ＭＶＮＯＡの無線リソース使用率とし、ＭＶＮＯＡを示すＭＶＮＯ情報と関連づけて記憶する。
【００９０】
同様に、使用状況管理部４１には、（基地局間インターフェース部４０を介して）基地局２＿１から無線リソース使用数１が、ＭＶＮＯＢを示すＭＶＮＯ情報と関連して入力されたとする。使用状況管理部４１は、ＭＶＮＯＢを示すＭＶＮＯ情報に関して入力された無線リソース使用数の合計値１（上述の使用量１）を全無線リソース数で除算する。使用状況管理部４１は、除算した値を１００倍した値を、ＭＶＮＯＢの無線リソース使用率とし、ＭＶＮＯＢを示すＭＶＮＯ情報と関連づけて記憶する。
【００９１】
上述の全無線リソース数は、サーバ４に接続される各基地局２＿１、２＿２の無線リソースの数の合計値であり、本実施形態のシステムの管理者によって予めサーバ４に設定される。
【００９２】
（４−２−３）Ｓ１４２について
次に、使用状況管理部４１は、上述のＳ１４１で記憶した各ＭＶＮＯの無線リソース使用率とＭＶＮＯ情報を、優先度決定部４２に出力する（Ｓ１４２）。
【００９３】
（４−３）Ｓ１４０〜Ｓ１４２のまとめ（動作結果例）
図１０は、サーバ４が記憶する各ＭＶＮＯの無線リソース使用率の一例を示した図である。
【００９４】
使用状況管理部４１は、上述のＳ１４０〜Ｓ１４２を実施した結果、図１０の破線で囲んだ所のように、各ＭＶＮＯの無線リソース使用率とＭＶＮＯ情報を関連づけて記憶し、優先度決定部４２に出力する。なお、使用状況管理部４１は、上述のＳ１４０で受信した各ＭＶＮＯの無線リソースの使用量（つまり、ＭＶＮＯ情報と無線リソース使用数）も併せて記憶してもよい。
【００９５】
（４−４）Ｓ１４１のその他の動作
上述のＳ１４１において、使用状況管理部４１は、無線リソース使用数の合計値を全無線リソース数で除算したが、この除算を行わなくてもよい。後述のＳ１５０〜Ｓ１５２の処理（各ＭＶＮＯの優先順位の算出）に影響を与えないからである。除算を行わない場合、使用状況管理部４１は、Ｓ１４１において、無線リソース使用数の合計値を、そのままＭＶＮＯ情報と関連づけて記憶する。また、Ｓ１４１の後のＳ１４２において、使用状況管理部４１は、上述の合計値を各ＭＶＮＯの無線リソース使用率とみなし、ＭＶＮＯ情報と関連づけて、優先度決定部４２に出力するものとする。
【００９６】
（５）サーバ４の動作その２（各ＭＶＮＯの共有リソース使用優先順位を決定する動作）
（５−１）動作概要
次に、サーバ４は、図６に示されるように、上述のＳ４で算出した各ＭＶＮＯの無線リソース使用率を基に、各ＭＶＮＯの共有リソースの使用優先順位を決定する（Ｓ５）。
【００９７】
このとき、サーバ４は、各ＭＶＮＯが平均的に全無線リソースを使用できるよう、無線リソース使用率が低いＭＶＮＯは使用優先順位をより高く、無線リソース使用率が高いＭＶＮＯについては使用優先順位をより低く決定する。
【００９８】
（５−２）Ｓ５の具体的動作
上述のＳ５の動作は、サーバ４の優先度決定部４２と、ポリシー通知部４３によって、以下のＳ１５０〜Ｓ１５２の通りに実現される。
【００９９】
（５−２−１）Ｓ１５０〜Ｓ１５２について
まず、サーバ４の優先度決定部４２は、図９に示されるように、各ＭＶＮＯの無線リソース使用率とＭＶＮＯ情報が入力されると、入力されたＭＶＮＯ情報毎に、無線リソース使用率をそのまま使用優先順位を示す番号とする（Ｓ１５０）。
【０１００】
（５−２−２）Ｓ１５０の動作例
例えば、サーバ４の優先度決定部４２に、ＭＶＮＯＡを示すＭＶＮＯ情報と無線リソース使用率５５（％）、ＭＶＮＯＢを示すＭＶＮＯ情報と無線リソース使用率１０（％）が入力されたとする。
【０１０１】
サーバ４の優先度決定部４２は、ＭＶＮＯＡを示すＭＶＮＯ情報については、使用優先順位を示す番号を５５とする。使用優先順位を示す番号５５は５５位を示す。同様に、サーバ４の優先度決定部４２は、ＭＶＮＯＢを示すＭＶＮＯ情報については、使用優先順位を示す番号を１０と決定する。使用優先順位を示す番号１０は１０位を示す。
【０１０２】
サーバ４の優先度決定部４２は、無線リソース使用率が大きいほど、大きな使用優先順位を示す番号（すなわち、より低い使用優先順位）を求める。なお、サーバ４の優先度決定部４２は、入力された無線リソース使用率と単調増加関係にあるのであれば、任意の番号を、使用優先順位を示す番号とみなしてもよい。
【０１０３】
（５−２−３）Ｓ１５０の後の動作について
次に、上述のＳ１５０の後、サーバ４の優先度決定部４２は、ＭＶＮＯ情報毎に求めた使用優先順位を示す番号を、ＭＶＮＯ情報と関連づけ、図９に示されるように、ポリシー通知部４３に出力する（Ｓ１５１）。
【０１０４】
例えば、サーバ４の優先度決定部４２は、ＭＶＮＯＡを示すＭＶＮＯ情報と使用優先順位を示す番号５５（位）を関連づけてポリシー通知部４３に出力し、ＭＶＮＯＢを示すＭＶＮＯ情報と使用優先順位を示す番号１０（位）を関連づけて出力する。
【０１０５】
次に、サーバ４のポリシー通知部４３は、優先度決定部４２から入力された各ＭＶＮＯ情報と使用優先順位を示す番号を関連づけ、図９に示されるように、各ＭＶＮＯの使用優先順位として、基地局間インターフェース部４０に出力にする（Ｓ１５２）。
【０１０６】
（５−２−４）Ｓ１５０〜Ｓ１５２まとめ（動作結果例）
図１１は、サーバ４のポリシー通知部４３が出力する各ＭＶＮＯの使用優先順位の一例を示した図である。使用状況管理部４１は、例えば、図１１のように、各ＭＶＮＯ情報と使用優先順位を示す番号を関連づけ、ポリシー通知部４３に出力してもよい。
【０１０７】
（６）サーバ４の動作（各ＭＶＮＯの使用優先順位を各基地局へ通知する動作）
次に、上述のＳ５（Ｓ１５０〜Ｓ１５２）の後、サーバ４は、図６に示されるように、各ＭＶＮＯの使用優先順位を各基地局２＿１、２＿２に通知する（Ｓ６、Ｓ７）。
【０１０８】
具体的には、サーバ４の基地局間インターフェース部４０が、ポリシー通知部４３から入力されたＭＶＮＯ情報と使用優先順位を示す番号を各基地局２＿１、２＿２に送信する。
【０１０９】
（７）各基地局の動作（使用優先順位の高いＭＶＮＯから共有リソースを優先して使用させる動作）
（７−１）動作概要
次に、各基地局２＿１、２＿２は、サーバ４から各ＭＶＮＯの使用優先順位が通知されると、図６に示されるように、使用優先順位の高いＭＶＮＯに共有リソースを優先して使用させる（Ｓ８）。
【０１１０】
具体的には、基地局２＿１、２＿２は、使用優先順位の高いＭＶＮＯの端末１＿ｋからの接続要求メッセージを優先して受信する。基地局２＿１、２＿２は、接続要求メッセージを受信すると、上述のＳ１１０〜Ｓ１１４を実施し、専用リソース、又は共用リソースを使用して、使用優先順位の高いＭＶＮＯの端末１＿ｋと通信を行う。
【０１１１】
（７−２）Ｓ８の具体的動作
上記のＳ８については、各基地局２＿１、２＿２に備わる無線リソース使用部１０が以下のＳ１７０〜Ｓ１８２を実施することで実現される。なお、以下のＳ１７０〜Ｓ１８２では、代表して基地局２＿１の動作が示されているが、基地局２＿２でも同じ動作を行う。
【０１１２】
図１２、１３は、本発明の第１の実施の形態におけるシステムの動作（使用優先順位が通知された後の基地局の動作）を説明する為の図である。
【０１１３】
（７−２−１）Ｓ１７０〜Ｓ１８２について
（７−２−１−１）使用優先順位を記憶する動作
まず、基地局２＿１の有線側インターフェース部１３は、図１２に示されるように、サーバ４からＭＶＮＯ情報と使用優先順位を示す番号を受信すると、それらを無線リソース使用部１０に出力する（Ｓ１７０）。
【０１１４】
次に、基地局２＿１の無線リソース使用部１０は、入力されたＭＶＮＯ情報と使用優先順位とを関連づけ、優先順位管理表として記憶する（Ｓ１７１）。
【０１１５】
次に、基地局２＿１の無線リソース使用部１０は、自身に備わる計時機能を起動し、時間の計測を開始する（Ｓ１７２）。
【０１１６】
上述のＳ１７２から所定の時間経過したか否かを（後述のＳ１７７で）判別できるようにする為である。
【０１１７】
（７−２−１−２）一定時間内に受信した接続要求メッセージをメモリに蓄える動作
上述のＳ１７０〜Ｓ１７２の後、基地局２＿１は、端末（例えば、端末１＿１１）が自身に備わるセルに在圏し、その端末から接続要求メッセージを受信したとする。
【０１１８】
基地局２＿１のメッセージ受信部１１は、図１３に示されるように、端末１＿１１から接続要求メッセージを受信すると、受信した接続要求メッセージを、上述のＳ１１１と同様、無線リソース使用部１０に出力する（Ｓ１７３）。
【０１１９】
次に、基地局２＿１の無線リソース使用部１０は、メッセージ受信部１１から接続要求メッセージが入力されると、上述のＳ１１２と同様に、入力された接続要求メッセージからＭＶＮＯ情報を抽出する（Ｓ１７４）。
【０１２０】
次に、無線リソース使用部１０は、抽出したＭＶＮＯ情報が示すＭＶＮＯの使用優先度を取得する（Ｓ１７５）。
【０１２１】
具体的には、無線リソース使用部１０は、優先順位管理表を読み出し、上述のＳ１７４で抽出したＭＶＮＯ情報に関連する使用優先順位を示す番号を優先順位管理表から取得する。
【０１２２】
次に、無線リソース使用部１０は、受信した接続要求メッセージに、上述のＳ１７５で取得した使用優先順位を示す番号を関連づけて、自身に備わるメモリ（以下、「受信バッファ」という）に一旦記憶する（Ｓ１７６）。
【０１２３】
次に、無線リソース使用部１０は、（上述のＳ１７２で起動した）計時機能によって計測される時間が所定の時間経過したか否か判別する（Ｓ１７７）。
【０１２４】
所定の時間は、本実施形態のシステムの管理者によって無線リソース使用部１０に設定される。
【０１２５】
無線リソース使用部１０は、計測される時間が所定の時間を経過していない場合（Ｓ１７７でＮｏの場合）、所定の時間を経過するまで、上述のＳ１７４〜Ｓ１７６を繰り返す。すなわち、無線リソース使用部１０は、他の端末から接続要求メッセージを受信すると、その接続要求メッセージと使用優先順位を示す番号を関連づけて受信バッファに格納する。
【０１２６】
受信バッファには、使用優先順位を示す番号が関連づけられた、いくつかの接続要求メッセージが蓄積される。
【０１２７】
その後、無線リソース使用部１０は、計測される時間が所定の時間を経過した場合（Ｓ１７７でＹｅｓの場合）、受信バッファに蓄積されている接続要求メッセージを全て抽出し、自身に備わる別のメモリ（以下、「処理メモリ」という）に一旦格納する（Ｓ１７８）。
【０１２８】
上述の所定の時間経過するまでの間に受信バッファに蓄えられたメッセージを処理する為である。
【０１２９】
次に、無線リソース使用部１０は、処理メモリに格納した接続要求メッセージのうち、最も高い使用優先順位（すなわち、最小の使用優先順位を示す番号）が関連づけられている接続要求メッセージを１つ抽出する（Ｓ１７９）。
【０１３０】
以下、Ｓ１７９で抽出した接続要求メッセージが、端末１＿１１から受信した接続要求メッセージであったものとして説明を続ける。なお、無線リソース使用部１０は、Ｓ１７７でＹｅｓとなってから後述のＳ１８２を実施するまでの間に接続要求メッセージが入力された場合には、上述のＳ１７４〜Ｓ１７６（図１３の破線で囲った処理）を優先して実施するものとする。すなわち、無線リソース使用部１０は、接続要求メッセージが入力されると、そのメッセージを（使用優先順位を示す番号と関連づけて）受信バッファに格納するものとする。
【０１３１】
次に、上述のＳ１７９の後、無線リソース使用部１０は、上述のＳ１７９で抽出した接続要求メッセージを、受信した接続要求メッセージとみなし、上述のＳ１１２〜Ｓ１１４を実施する（Ｓ１８０）。
【０１３２】
その結果、無線リソース使用部１０は、専用リソース、又は共用リソースを使用して、使用優先順位の高いＭＶＮＯの端末１＿１１と通信を行う。
【０１３３】
次に、無線リソース使用部１０は、処理メモリに他に接続要求メッセージが格納されているかを判別する（Ｓ１８１）。
【０１３４】
無線リソース使用部１０は、処理メモリに接続要求メッセージが格納されている場合（Ｓ１８１でＹｅｓの場合）には、上述のＳ１７９に戻り、次に最も使用優先順位の高い接続要求メッセージを処理メモリから１つ抽出する。次に、無線リソース使用部１０は、抽出した接続要求メッセージについて、上述のＳ１８０〜Ｓ１８１を実施する。
【０１３５】
その結果、無線リソース使用部１０は、より高い使用優先順位が関連づけられている接続要求メッセージから順次、上述のＳ１１２〜Ｓ１１４を実施する。上述のＳ１１２〜Ｓ１１４を実施した結果、無線リソース使用部１０は、接続要求メッセージを送信してきた端末のうち、より使用優先順位の高いＭＶＮＯの端末と、専用リソース、又は共用リソースを使用して通信を行う。
【０１３６】
なお、専用リソース、共用リソースを全て使用していた場合には、無線リソース使用部１０は、上述のＳ１１２〜Ｓ１１４を実施できず、端末と通信を行えない。その場合、無線リソース使用部１０は、上述のＳ１７９で抽出した接続要求メッセージを再度、受信バッファに格納する。共用リソースの空きを待ち、次の所定の時間で処理をする為である。
【０１３７】
無線リソース使用部１０は、接続要求メッセージを受信バッファに格納する際には、格納する接続要求メッセージに格納回数として１を関連づけて格納してもよい。その後、接続要求メッセージを、再度、受信バッファに格納する度に、無線リソース使用部１０は、上述の格納回数をインクリメントして、格納してもよい。無線リソース使用部１０は、一定回数以上の格納回数が関連づけられたメッセージについては受信バッファから削除してもよい。使用優先順位の低い接続要求メッセージがいつまでも受信バッファに蓄積されないようにする為である。
【０１３８】
次に、無線リソース使用部１０は、上述の処理メモリに接続要求メッセージが格納されていない場合（Ｓ１８１でＮｏの場合）には、計時機能を一旦停止し、再度、計時機能を起動して時間の計測を新たに開始する（Ｓ１８２）。
【０１３９】
その後、無線リソース使用部１０は、接続要求メッセージが入力されれば、上述のＳ１７４〜Ｓ１７７を実施し、入力された接続要求メッセージを受信バッファに格納しながら、所定の時間が経過するのを待つ。無線リソース使用部１０は、所定の時間が経過すれば、上述のＳ１７８〜Ｓ１８２を実施し、その後、上述のＳ１７４〜Ｓ１８２を繰り返し実施していく。
【０１４０】
（７−３）その後、サーバ４から使用優先順位を示す番号が基地局に入力されたときの動作
（７−３−１）サーバ４の動作について
上述のＳ２、Ｓ３で説明した通り、サーバ４には、基地局２＿１、２＿２から無線リソースの使用量が一定の周期毎に繰り返し通知される。基地局２＿１、２＿２から無線リソースの使用量が通知される度に、サーバ４は、上述のＳ４〜Ｓ７を実施するので、使用優先順位を示す番号とＭＶＮＯ情報とを、基地局２＿１、２＿２に繰り返し送信することになる。
【０１４１】
その結果、各基地局２＿１、２＿２の無線リソース使用部１０には、上述のＳ１７４〜Ｓ１８２の実施と並行して非同期に、使用優先順位を示す番号とＭＶＮＯ情報とが（有線側インターフェース部１３を介して）サーバ４から繰り返し入力されることとなる。
【０１４２】
（７−３−２）サーバ４から使用優先順位を示す番号が入力された時の基地局動作
各基地局２＿１、２＿２の無線リソース使用部１０は、使用優先順位を示す番号とＭＶＮＯ情報がサーバ４から入力されると、Ｓ１７０〜Ｓ１７２を実施する。すなわち、無線リソース使用部１０は、入力された使用優先順位を示す番号とＭＶＮＯ情報を関連づけ、新たな優先順位管理表として記憶する。その際、無線リソース使用部１０は、それまでに記憶していた優先順位管理表を新たな優先順位管理表で上書き更新する。この処理は、上述のＳ１７４〜Ｓ１８２よりも優先して実行される。
【０１４３】
新たな優先順位管理表は、無線リソース使用部１０が次にＳ１７４〜Ｓ１８２を実施したときから使用される。すなわち、無線リソース使用部１０は、Ｓ１７４〜Ｓ１８２を実施するときは、新たな優先順位管理表を使用し、該管理表が示す使用優先順位のより高いＭＶＮＯの端末から専用リソース、又は共用リソースを使用して通信を行っていく。
【０１４４】
（７−４）Ｓ１７０〜Ｓ１８２の動作結果
上述のＳ１７０〜Ｓ１８２が実施された結果、共有リソースを含め、各基地局２＿１、２＿２の無線リソースは、使用優先順位のより高いＭＶＮＯ（の端末）から順に使用されていく。すなわち、各基地局２＿１、２＿２の無線リソースは、無線リソースの使用率の低いＭＶＮＯ（の端末）から順に使用されていく。無線リソースの使用率の低いＭＶＮＯが優先的に無線リソースを使用するので、各ＭＶＮＯは、より公平に無線リソースを使用することができる。
【０１４５】
（７−５）新たな優先順位管理表を記憶した後に実施可能な処理
なお、無線リソース使用部１０は、上述のＳ１７１で新たな優先順位管理表を記憶した後、初めて上述のＳ１７８を実施するときには、以下の（Ｉ）〜（ＩＩＩ）の処理を行ってもよい。すなわち、無線リソース使用部１０は、新たな優先順位管理表を記憶した後、初めてＳ１７８を実施するときには、受信バッファから抽出した接続要求メッセージ毎に、以下の（Ｉ）〜（ＩＩＩ）を行ってもよい。Ｓ１７８により処理メモリに格納する接続要求メッセージに、新たな優先順位管理表に示される最新の使用優先順位（を示す番号）を確実に関連づけることができる。
【０１４６】
（Ｉ）まず、無線リソース使用部１０は、上述のＳ１７４と同様に、接続要求メッセージからＭＶＮＯ情報を抽出する。
【０１４７】
（ＩＩ）次に、無線リソース使用部１０は、上述のＳ１７５と同様に、抽出したＭＶＮＯ情報に関連する使用優先順位を示す番号を、新たな優先順位管理表から取得する。
【０１４８】
（ＩＩＩ）次に、無線リソース使用部１０は、接続要求メッセージに関連づけられている使用優先順位を示す番号を、（ＩＩ）で取得した使用優先順位を示す番号に置き換えた上で、その接続要求メッセージを処理メモリに格納する。
【０１４９】
無線リソース使用部１０は、受信バッファから抽出した全ての接続要求メッセージについて、上記の（Ｉ）〜（ＩＩＩ）の処理を行う。
【０１５０】
以上が、本実施形態のシステムの主な動作である。
【０１５１】
後述の（７−６）、（７−７）に、その他の動作の変形例を記載しておく。本実施形態のシステムは、後述の（７−６）、（７−７）の通りに動作することもできる。
【０１５２】
（７−６）その他の基地局の動作（サーバ４への通知する値について）
上述のＳ２において、基地局２＿１、２＿２の報告部１２は、無線リソース使用数をＭＶＮＯ情報と共にサーバ４に通知した。
【０１５３】
報告部１２は、無線リソース使用数の代わりに、該無線リソース使用数を基地局に備わる無線リソース数で除算し、１００倍した値（以下、「各基地局における無線リソース使用率」という）をサーバ４に通知してもよい。
【０１５４】
このとき、サーバ４は、上述の「各基地局における無線リソース使用率」を、無線リソース使用数の代わりとして使用する。また、サーバ４は、上述のＳ１４０で受信する、ＭＶＮＯ情報及び、各基地局における無線リソース使用率を、図１４の破線内に示されるように、関連づけて記憶してもよい。図１４は、サーバ４が記憶するＭＶＮＯ情報と無線リソースの使用率の一例を示した図である。
【０１５５】
（７−７）その他の基地局の動作（全無線リソースにおける使用率の算出について）
上述のＳ１４１の処理において、使用状況管理部４１は、無線リソースの使用数の合計値を全無線リソース数で除算した。使用状況管理部４１は、無線リソースの使用数の合計値を、全無線リソース数ではなく、専用リソースの数で除算してもよい。専用リソースの数は、本実施形態のシステムの管理者によって使用状況管理部４１に設定される。
【０１５６】
［効果の説明］
本実施形態によれば、ＭＶＮＯは、各基地局の無線リソースを、より公平にシェアすることができる。
【０１５７】
なぜならば、本実施形態のシステムは、各基地局の無線リソースの使用率が低いＭＶＮＯ（すなわち、使用量が小さいＭＶＮＯ）を求め、そのＭＶＮＯに無線リソースを優先して使用させるからである。
【０１５８】
≪第２の実施の形態≫
図１５は、本発明の第２の実施の形態におけるシステムの構成例を示す図である。以下に、第２の実施の形態のシステムの構成と動作について説明する。
【０１５９】
［構成の説明］
（１）第２の実施形態のシステムの構成
第２の実施形態のシステムは、図１５に示されるように、端末１００＿１〜端末１００＿６と、基地局２００、２１０と、サーバ３００と、を備える。
【０１６０】
基地局２００は、端末１００＿１〜端末１００＿３と無線回線を介して接続され、基地局２１０は、端末１００＿４〜端末１００＿６と無線回線を介して接続される。基地局２００、２１０は、サーバ３００と有線回線を介して接続される。
【０１６１】
（２）基地局２００、２１０の構成
基地局２００は、無線リソース使用部２０１と、報告部２０２と、を備える。基地局２１０は、無線リソース使用部２１１と、報告部２１２と、を備える。
【０１６２】
（３）サーバ３００の構成
サーバ３００は、図１５に示されるように、決定部３０１を備える。
【０１６３】
（４）端末１００＿１〜端末１００＿６について
端末１００＿１〜端末１００＿６は、所定のグループの端末である。所定のグループとは、所定の仮想移動体通信事業者のことであってもよい。
【０１６４】
以下、端末１００＿１、１００＿２、１００＿５、１００＿６は、図１５に示されるように、グループＡの端末であり、端末１００＿３、１００＿４は、グループＢの端末であるものとして説明を続ける。
【０１６５】
（５）無線リソースについて
図１６は、本発明の第２の実施の形態におけるシステムの基地局が使用する無線リソースを説明する為の図である。
【０１６６】
基地局２００の無線リソース使用部２０１は、図１６の上図に示されるように、端末１００＿１〜端末１００＿３と通信を行うために、２つの無線リソースを使用することができる。無線リソース使用部２０１が使用する２つの無線リソースは、図１６では、無線リソース２０３と示されている。無線リソースは、周波数帯域である。同様に、基地局２１０の無線リソース使用部２１１は、端末１００＿４〜端末１００＿６と通信を行うために、２つの無線リソース（すなわち、周波数帯域）を使用することができる。無線リソース使用部２１１が使用する２つの無線リソースは、図１６では、無線リソース２１３と示されている。
【０１６７】
[動作の説明]
次に、本実施形態のシステムの動作を説明する。
【０１６８】
（１）基地局２００、２１０の動作
（１−１）基地局２００、２１０の無線リソース使用動作
まず、基地局２００、２１０の無線リソース使用部２０１、２１１は、各々、所定のグループＡ、Ｂの端末から接続要求メッセージを受信すると、無線リソース２０３、２１３を使用して上述の端末と通信を行う。
【０１６９】
例えば、基地局２００の無線リソース使用部２０１は、グループＡの端末１００＿１から接続要求メッセージを受信すると、図１６の中図に示されるように、無線リソース２０３を１個使用してグループＡの端末１００＿１と通信を行う。同様に、基地局２１０の無線リソース使用部２１１は、グループＢ、Ａの端末１００＿４、１００＿５から接続要求メッセージを受信すると、無線リソース２１３をそれぞれ１個ずつ使用して端末１００＿４、１００＿５と通信を行う。
【０１７０】
（１−２）基地局２００、２１０の無線リソース状況報告動作
次に、基地局２００、２１０の報告部２０２、２１２は、所定のタイミングになると、各グループの端末と通信を行う為に使用している無線リソースの使用量を、グループ毎に出力する。
【０１７１】
例えば、基地局２１０の報告部２１２は、所定のタイミングになると、グループＡの端末（具体的には、端末１００＿５）と通信を行う為に使用している無線リソース２１３の使用量（１個）をサーバ３００に出力する。図１６の中図に示されるように、グループＡの端末と通信を行う為に使用している無線リソース２１３は１個である。また、基地局２１０の報告部２１２は、グループＢの端末（具体的には、端末１００＿４）と通信を行う為に使用している無線リソース２１３の使用量（１個）をサーバ３００に出力する。
【０１７２】
同様に、基地局２００の報告部２０２は、所定のタイミングになると、グループＡの端末（具体的には、端末１００＿１）と通信を行う為に使用している無線リソース２０３の使用量（１個）をサーバ３００に出力する。
【０１７３】
（１−２−３）所定のタイミングについて
上述の所定のタイミングは、一定間隔のタイミングであり、本実施形態のシステムの管理者によって、各基地局２００、２１０の報告部２０２、２１２に設定される。
【０１７４】
（２）サーバ３００の動作
（２−１）サーバ３００の動作
上述の（１−２）の基地局動作によって、サーバ３００の決定部３０１には、接続する少なくとも１つの基地局２００、２０１からグループＡ、Ｂに係る無線リソースの使用量が入力される。
【０１７５】
サーバ３００の決定部３０１は、グループＡ、Ｂ毎に、（そのグループに係る）使用量の総和と単調増加関係のある所定の番号に対応する情報を、グループの優先順位を示す情報として出力する。
【０１７６】
（２−２）具体例
（２−２−１）入力される無線リソースの使用量に関して
例えば、サーバ３００には、基地局２００からグループＡに係る無線リソースの使用量（１個）が入力される。同様にサーバ３００には、基地局２１０からグループＡに係る無線リソースの使用量（１個）が入力され、さらに、グループＢに係る無線リソースの使用量（１個）が入力される。このとき、グループＡに係る無線リソースの使用量の総和は２個で、グループＢに係る無線リソースの使用量の総和は１個である。
【０１７７】
（２−２−２）サーバ３００の動作例と優先順位に関して
サーバ３００の決定部３０１は、無線リソースの使用量の総和２個に対応する所定の番号１００（位）を（グループＡの優先順位を示す情報として）各基地局２００、２１０に出力してもよい。同様に、サーバ３００の決定部３０１は、無線リソースの使用量の総和１個に対応する所定の番号１（位）を（グループＢの優先順位を示す情報として）各基地局２００、２１０に出力してもよい。
【０１７８】
各無線リソースの使用量の総和と所定の番号は、単調増加関係にある。すなわち、無線リソースの使用量の総和が大きい場合には、所定の番号は大きな値となる。所定の番号は、無線リソースの使用量の総和と対応づけて本実施形態のシステムの管理者によってサーバ３００の決定部３０１に設定される。
【０１７９】
（３）優先順位入力後の基地局２００、２１０の動作
（３−１）優先順位入力後の基地局２００、２１０の動作
基地局２００、２１０の無線リソース使用部２０１、２１１には、使用量の出力に応じてグループの優先順位を示す情報がサーバ３００の決定部３０１から入力される。
【０１８０】
基地局２００、２１０の無線リソース使用部２０１、２１１は、グループの優先順位を示す情報が入力されると、端末と通信を行う際、入力された情報が示す優先順位の高いグループの端末から順に無線リソースを使用して通信を行う。
【０１８１】
（３−２）具体例
例えば、基地局２００の無線リソース使用部２０１に、グループＡの優先順位を示す情報として番号１００（位）が、グループＢの優先順位を示す情報として番号１（位）が入力されたとする。入力された番号は、その数が小さいほど、優先順位が高い。
【０１８２】
基地局２００の無線リソース使用部２０１は、グループＡ、Ｂの端末１００＿２、１００＿３と通信を行う際、入力された情報（番号）が示す優先順位の高いグループＢの端末１００＿３から順に無線リソース２０３を使用して通信を行う。
【０１８３】
その結果、無線リソース２０３は、図１６の下図の通り、端末１００＿１と端末１００＿３と通信を行う為に使用される。
【０１８４】
（４）動作のまとめ
（４−１）本実施形態のシステムの動作まとめ
上記動作の結果、本実施形態のシステムに備わる全無線リソース４個は、図１６の下図の通り、２個がグループＡの端末と通信を行う為に使用され、２個がグループＢの端末Ｂと通信を行う為に使用される。
【０１８５】
すなわち、グループＡ（例えば、仮想移動体通信事業者Ａ）が無線リソースを２個使用し、グループＢ（例えば、仮想移動体通信事業者Ｂ）が無線リソースを２個使用することとなる。その結果、グループＡ、Ｂ（例えば、仮想移動体通信事業者Ａ、Ｂ）は、本実施形態のシステムに備わる無線リソースを公平に使用することができる。
【０１８６】
（４−２）特許文献１の移動体通信システムとの比較
特許文献１の移動体通信システムは、優先順位が入力されないので、グループＡの端末１００＿２から無線リソースを使用して通信を行ってしまう。その結果、本実施形態のシステムに備わる全無線リソースは、図１６の参考図の通り、３個がグループＡの端末と通信を行う為に使用され、グループＡ（仮想移動体通信事業者Ａ）が主に無線リソースを使用する結果となる。特許文献１の移動体通信システムにおいては、各グループＡ、Ｂ（仮想移動体通信事業者Ａ、Ｂ）は、無線リソースを公平に使用することができなかった。
【０１８７】
（５）無線リソースについて
上記では、無線リソース使用部２０１、２１１が使用する無線リソース（周波数帯域）は２つとしたが、２つでなくてもよい。無線リソース使用部２０１、２１１は、２つ以上の無線リソース（周波数帯域）を使用してもよい。
【０１８８】
さらに、上記では、無線リソースは周波数帯域であるものとして説明したが、無線リソースは、周波数帯域、リソースブロック、符号のいずれか、又は組み合わせであってもよい。
【０１８９】
［効果の説明］
本実施形態によれば、ＭＶＮＯ（仮想移動体通信事業者）は、各基地局の無線リソースを、より公平にシェアすることができる。
【０１９０】
なぜならば、本実施形態のシステムは、各基地局の無線リソースの使用量が小さいＭＶＮＯに無線リソースを優先して使用させるからである。
【０１９１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１９２】
この出願は、２０１４年６月２７日に出願された日本出願特願２０１４−１３１９６１を基礎とする優先権を主張し、その開示の全てをここに取り込む。
【０１９３】
さらに、上記の各実施形態の一部又は全部は、以下の付記のようにも記載されうるが、以下には限られない。
（付記１）
所定のグループの端末から接続要求メッセージを受信すると、通信を行うための無線リソースを使用して前記端末と通信を行う無線リソース使用手段と、
所定のタイミングになると、前記グループの前記端末と通信を行う為に使用している前記無線リソースの使用量を前記グループ毎に出力する報告手段と、を備え、
前記無線リソース使用手段は、前記出力に応じて前記グループの優先順位を示す情報が入力されると、前記端末と通信を行う際、前記情報が示す前記優先順位の高い前記グループの端末から順に前記無線リソースを使用して通信を行う、
ことを特徴とする基地局。
（付記２）
前記無線リソース使用手段は、使用する前記無線リソースと、前記端末が係る前記グループを示す識別子と、を関連づけ、
前記報告手段は、前記所定のタイミングになると、前記識別子毎に、前記識別子と関連づけられた前記無線リソースの数に対応する前記使用量を、前記識別子と関連づけて出力する、
ことを特徴とする付記１に記載の基地局。
（付記３）
前記無線リソース使用手段は、前記端末から受信した所定のメッセージから前記識別子を抽出する、
ことを特徴とする付記２に記載の基地局。
（付記４）
前記所定のグループは、所定の仮想移動体通信事業者である、
ことを特徴とする付記１乃至３のいずれか１項に記載の基地局。
（付記５）
接続する少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力する決定手段を備える、
ことを特徴とするサーバ。
（付記６）
前記基地局各々から入力された前記グループを示す識別子毎に、前記識別子に関連して入力された前記使用量の総和に対応する第１の値を、前記識別子と関連づけて出力する管理手段と、を備え
前記決定手段は、前記管理手段から入力された前記識別子毎に、関連する前記第１の値と単調増加関係のある前記所定の番号に対応する前記情報を出力する、
ことを特徴とする付記５にサーバ。
（付記７）
前記第１の値は、前記使用量の総和を、接続する前記基地局に備わる全ての前記無線リソースの数で除算した値である、
ことを特徴とする付記６に記載のサーバ。
（付記８）
基地局とサーバとが接続され、
前記基地局は、付記１乃至４のいずれか１項に記載の基地局であり、
前記サーバは、付記５乃至７のいずれか１項に記載のサーバである、
ことを特徴とするシステム。
（付記９）
少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力し、
前記基地局が、前記グループの端末と通信を行う際、入力された前記情報が示す前記優先順位の高い前記グループの端末から順に前記無線リソースを使用して通信を行う、
ことを特徴とする無線リソース使用方法。
（付記１０）
所定のタイミングになると、前記グループの前記端末と通信を行う為に使用している前記無線リソースの使用量を前記グループ毎に出力する、
ことを特徴とする付記９に記載の無線リソース使用方法。
（付記１１）
前記無線リソースは、周波数帯域、リソースブロック、符号のいずれか、又は組み合わせである、
ことを特徴とする付記１乃至４のいずれか１項に記載の基地局。
（付記１２）
前記所定のメッセージは、３ＧＰＰ（３ｒｄ  Ｇｅｎｅｒａｔｉｏｎ  Ｐａｒｔｎｅｒｓｈｉｐ  Ｐｒｏｊｅｃｔ）に規定されるＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔ、又は、ＲＲＣ  Ｃｏｎｎｅｃｔｉｏｎ  Ｓｅｔｕｐ  Ｃｏｍｐｌｅｔｅである、
ことを特徴とする付記３乃至４のいずれか１項、又は付記１１に記載の基地局。
【符号の説明】
【０１９４】
１＿１〜１＿２４、１００＿１〜１００＿６    端末
２＿１、２＿２、２００、２１０    基地局
３    ＩＰネットワーク
４、３００    サーバ
５    ＭＭＥ
１０、２０１、２１１    無線リソース使用部
１１    メッセージ受信部
１２    無線リソース使用量報告部
１３    有線側インターフェース部
４０    基地局間インターフェース部
４１    使用状況管理部
４２    優先度決定部
２０２、２１２    報告部
２０３、２１３    無線リソース
３０１    決定部
【図１】
2015198572.tif 000003
【図２】
2015198572.tif 000004
【図３】
2015198572.tif 000005
【図４】
2015198572.tif 000006
【図５】
2015198572.tif 000007
【図６】
2015198572.tif 000008
【図７】
2015198572.tif 000009
【図８】
2015198572.tif 000010
【図９】
2015198572.tif 000011
【図１０】
2015198572.tif 000012
【図１１】
2015198572.tif 000013
【図１２】
2015198572.tif 000014
【図１３】
2015198572.tif 000015
【図１４】
2015198572.tif 000016
【図１５】
2015198572.tif 000017
【図１６】
2015198572.tif 000018
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
所定のグループの端末から接続要求メッセージを受信すると、通信を行うための無線リソースを使用して前記端末と通信を行う無線リソース使用手段と、
所定のタイミングになると、前記グループの前記端末と通信を行う為に使用している前記無線リソースの使用量を前記グループ毎に出力する報告手段と、を備え、
前記無線リソース使用手段は、前記出力に応じて前記グループの優先順位を示す情報が入力されると、前記端末と通信を行う際、前記情報が示す前記優先順位の高い前記グループの端末から順に前記無線リソースを使用して通信を行う、
ことを特徴とする基地局。
【請求項２】
前記無線リソース使用手段は、使用する前記無線リソースと、前記端末が係る前記グループを示す識別子と、を関連づけ、
前記報告手段は、前記所定のタイミングになると、前記識別子毎に、前記識別子と関連づけられた前記無線リソースの数に対応する前記使用量を、前記識別子と関連づけて出力する、
ことを特徴とする請求項１に記載の基地局。
【請求項３】
前記無線リソース使用手段は、前記端末から受信した所定のメッセージから前記識別子を抽出する、
ことを特徴とする請求項２に記載の基地局。
【請求項４】
前記所定のグループは、所定の仮想移動体通信事業者である、
ことを特徴とする請求項１乃至３のいずれか１項に記載の基地局。
【請求項５】
接続する少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力する決定手段を備える、
ことを特徴とするサーバ。
【請求項６】
前記基地局各々から入力された前記グループを示す識別子毎に、前記識別子に関連して入力された前記使用量の総和に対応する第１の値を、前記識別子と関連づけて出力する管理手段と、を備え
前記決定手段は、前記管理手段から入力された前記識別子毎に、関連する前記第１の値と単調増加関係のある前記所定の番号に対応する前記情報を出力する、
ことを特徴とする請求項５にサーバ。
【請求項７】
前記第１の値は、前記使用量の総和を、接続する前記基地局に備わる全ての前記無線リソースの数で除算した値である、
ことを特徴とする請求項６に記載のサーバ。
【請求項８】
基地局とサーバとが接続され、
前記基地局は、請求項１乃至４のいずれか１項に記載の基地局であり、
前記サーバは、請求項５乃至７のいずれか１項に記載のサーバである、
ことを特徴とするシステム。
【請求項９】
少なくとも１つの基地局から所定のグループに係る無線リソースの使用量が入力されると、前記グループ毎に、前記グループに係る前記使用量の総和と単調増加関係のある所定の番号に対応する情報を、前記グループの優先順位を示す情報として出力し、
前記基地局が、前記グループの端末と通信を行う際、入力された前記情報が示す前記優先順位の高い前記グループの端末から順に前記無線リソースを使用して通信を行う、
ことを特徴とする無線リソース使用方法。
【請求項１０】
所定のタイミングになると、前記グループの前記端末と通信を行う為に使用している前記無線リソースの使用量を前記グループ毎に出力する、
ことを特徴とする請求項９に記載の無線リソース使用方法。
【国際調査報告】
2015198572.tif 000019
2015198572.tif 000020
2015198572.tif 000021
2015198572.tif 000022